(57)【特許請求の範囲】
【請求項１】
ロープ（１）および養殖貝類（１１）の耳部（１１ｂ）に形成する貫通孔（１Ａ）（１１Ａ）に刺し通される係止具（２１）を前記貫通孔（１Ａ）（１１Ａ）へ向けて案内するガイドブッシュ（１１１）を備え、
前記ガイドブッシュ（１１１）の係止具送出し側端部の周面に、前記ガイドブッシュ（１１１）内に前記係止具（２１）が詰まったときに前記係止具（２１）を排出する排出口（１１２）を設けたことを特徴とする養殖貝類の係止具のガイド構造。
【請求項２】
請求項１の養殖貝類の係止具のガイド構造において、
ロープ（１）および養殖貝類（１１）の耳部（１１ｂ）に貫通孔（１Ａ）（１１Ａ）を形成するドリル（８４）の先端がガイドブッシュ（１１１）に接触することがないように、前記ガイドブッシュ（１１１）の係止具送出し側端部に、他の部分より内径の大きな大径部（１１４）を設けたことを特徴とする養殖貝類の係止具のガイド構造。
【請求項３】
請求項１の養殖貝類の係止具のガイド構造において、
養殖貝類（１１）を貝座部（４１）の適正位置にセットするときにガイドブッシュ（１１１）が邪魔になることがないように、前記ガイドブッシュ（１１１）の係止具送出し側端部にカット部（１１３）を設けたことを特徴とする養殖貝類の係止具のガイド構造。
【請求項４】
請求項１の養殖貝類の係止具のガイド構造において、
ガイドブッシュ（１１１）を貝座部（４１）に固定するガイドブロック（１２１）を備え、
前記ガイドブロック（１２１）に、前記ガイドブッシュ（１１１）に設けた排出口（１１２）に連通する排出路（１２２）を設けたことを特徴とする養殖貝類の係止具のガイド構造。
【請求項５】
請求項１の養殖貝類の係止具のガイド構造において、
ガイドブッシュ（１１１）を貝座部（４１）に固定するガイドブロック（１２１）を備え、
養殖貝類（１１）を前記貝座部（４１）の適正位置にセットするときに前記ガイドブロック（１２１）が邪魔になることがないように、前記ガイトブロック（１２１）にカット部（１２３）を設けたことを特徴とする養殖貝類の係止具のガイド構造。
【発明の詳細な説明】
【０００１】
【発明の属する技術分野】
本発明は、係止具を使用してロープに帆立貝等の養殖貝類の稚貝を耳吊り状態に取り付ける養殖貝類の耳吊り装置における係止具のガイド構造に関する。
【０００２】
【従来の技術】
ロープおよび養殖貝類の稚貝の耳部を積層状に並べてドリルで貫通孔を形成するとともにこの貫通孔に係止具を刺し通して耳吊り状態を実現する養殖貝類の耳吊り装置においては屡々、装置内に係止具が詰まってしまうことがある。装置内に係止具が詰まると、この係止具を排出するために作業を中止して装置を分解しなければならず、極めて厄介なことになる。
【０００３】
【発明が解決しようとする課題】
本発明は以上の点に鑑み、装置内に係止具が詰まってしまった場合にこの係止具を自動的に排出することが可能な養殖貝類の耳吊り装置における係止具のガイド構造を提供することを目的とする。
【０００４】
またこれに加えて、ロープおよび養殖貝類の耳部に貫通孔を形成するドリルの先端が、係止具を貫通孔へ向けて案内するガイドブッシュに接触することがなく、もってガイドブッシュまたはドリルが損耗するのを抑えることができる養殖貝類の耳吊り装置における係止具のガイド構造を提供することを目的とする。
【０００５】
また養殖貝類を貝座部の適正位置にセットするときにガイトブッシュが邪魔になることがなく、もって正確かつ迅速に耳吊り状態を実現することができる養殖貝類の耳吊り装置における係止具のガイド構造を提供することを目的とする。
【０００６】
またガイドブッシュを貝座部に固定するガイドブロックが備えられている場合でも、装置内に係止具が詰まってしまった場合にこの係止具を自動的に排出することができる養殖貝類の耳吊り装置における係止具のガイド構造を提供することを目的とする。
【０００７】
またガイドブッシュを貝座部に固定するガイドブロックが備えられている場合でも、養殖貝類を貝座部の適正位置にセットするときにガイドブロックが邪魔になることがなく、もって正確かつ迅速に耳吊り状態を実現することができる養殖貝類の耳吊り装置における係止具のガイド構造を提供することを目的とする。
【０００８】
【課題を解決するための手段】
上記目的を達成するため、本発明の請求項１による養殖貝類の係止具のガイド構造は、ロープおよび養殖貝類の耳部に形成する貫通孔に刺し通される係止具を前記貫通孔へ向けて案内するガイドブッシュを備え、前記ガイドブッシュの係止具送出し側端部の周面に、前記ガイドブッシュ内に前記係止具が詰まったときに前記係止具を排出する排出口を設けることにした。
【０００９】
また本発明の請求項２による養殖貝類の係止具のガイド構造は、上記した請求項１の養殖貝類の係止具のガイド構造において、ロープおよび養殖貝類の耳部に貫通孔を形成するドリルの先端がガイドブッシュに接触することがないように、前記ガイドブッシュの係止具送出し側端部に、他の部分より内径の大きな大径部を設けることにした。
【００１０】
また本発明の請求項３による養殖貝類の係止具のガイド構造は、上記した請求項１の養殖貝類の係止具のガイド構造において、養殖貝類を貝座部の適正位置にセットするときにガイドブッシュが邪魔になることがないように、前記ガイドブッシュの係止具送出し側端部にカット部を設けることにした。
【００１１】
また本発明の請求項４による養殖貝類の係止具のガイド構造は、上記した請求項１の養殖貝類の係止具のガイド構造において、ガイドブッシュを貝座部に固定するガイドブロックを備え、ガイドブロックに、前記ガイドブッシュに設けた排出口に連通する排出路を設けることにした。
【００１２】
また更に本発明の請求項５による養殖貝類の係止具のガイド構造は、上記した請求項１の養殖貝類の係止具のガイド構造において、ガイドブッシュを貝座部に固定するガイドブロックを備え、養殖貝類を前記貝座部の適正位置にセットするときに前記ガイドブロックが邪魔になることがないように、前記ガイトブロックにカット部を設けることにした。
【００１３】
ロープおよび養殖貝類の耳部を積層状に並べたところにその積層方向の一方からドリルを移動させて来て貫通孔を形成し、同じところにその反対側から係止具を押圧部材で押圧すれば、貫通孔に係止具が刺し通されて耳吊り状態が実現されるはずである。しかしながら実際には、養殖貝類のセット位置が穿孔後にずれる等して係止具の移動方向延長線上から貫通孔がずれてしまうことがあり、このようなことがあると係止具が貫通孔に刺し通されずに耳部の非穿孔部に突き当たって装置内で詰まってしまう。
【００１４】
しかしながら、このようにして係止具が詰まるのは、係止具の逃げ場（行き場）が貫通孔の他にないからである。
【００１５】
したがって本発明の請求項１による係止具のガイド構造のように、ガイドブッシュの係止具送出し側端部の周面に排出口が設けられていると、押圧部材に押圧され続けている係止具が排出口から外へと押し出されてくる。
【００１６】
また本発明の請求項４による係止具のガイド構造のように、ガイドブッシュを貝座部に固定するガイドブロックが備えられている場合でもこのガイドブロックに排出路が設けられていると、押圧部材に押圧され続けている係止具がガイドブッシュの排出口を介して排出路から外へと押し出されてくる。
【００１７】
ロープおよび養殖貝類の耳部に貫通孔を形成するドリルの先端の径は、耳吊り状態実現後に係止具が貫通孔から抜けてしまわないように、係止具の径とそれほど変わらない大きさに設定されている。またガイドブッシュの内径は、係止具をガタなく円滑に案内することができように、やはり係止具の径とそれほど変わらない大きさに設定されている。したがってドリルの先端の径とガイドブッシュの内径とは互いに近似している。またその一方で、ドリルは上記したようにロープおよび養殖貝類の耳部による積層部の積層方向の一方に配置され、ガイドブッシュは、積層方向の反対側から押圧される係止具を案内するものであるために、積層方向の反対側に配置されている。したがってドリルとガイドブッシュとは積層部を挾んで互いに反対側に配置され、よってドリルの先端の径とガイドブッシュの内径とが互いに近似していても、両者が接触することはない。しかしながらこれには例外がある。すなわち積層部に対してドリルが貫通孔を形成した瞬間はドリルの先端が積層部をガイドブッシュ側に突き抜けることになり、ここにはガイドブッシュが係止具を貫通孔に旨く案内できるように積層部の真近に位置している。したがって高速で回転しているドリルの先端がガイドブッシュの係止具送出し側端部の開口周縁に接触して、両者の双方または少なくとも一方が損耗してしまう。
【００１８】
このようにドリルの先端がガイドブッシュに接触するのは、上記したようにドリルの先端の径とガイドブッシュの内径とが互いに近似しているからである。
【００１９】
したがって本発明の請求項２による係止具のガイド機構のように、ガイドブッシュの係止具送出し側端部に大径部が設けられていると、ドリルの先端が積層部をガイドブッシュ側に突き抜けた瞬間においても、ドリルの先端とガイドブッシュの係止具送出し側端部の開口周縁との間に径方向の間隙ができるために、ドリルの先端がガイトブッシュに接触するのを防止することが可能となる。
【００２０】
ロープおよび養殖貝類の耳部を積層状に並べたところにその積層方向の一方からドリルを移動させて来て貫通孔を形成し、同じところにその反対側から係止具を押圧部材で押圧して来て貫通孔に刺し込むには、ロープおよび養殖貝類の耳部を貝座部上で正確に積層状に並べる必要があり、これに対して貝座部の平面略中央に配置される筒状のガイドブッシュがその係止具送出し側端部に至るまで外径を統一された円筒形であると、養殖貝類の本体部（耳部以外の厚肉部分）がこのガイドブッシュの係止具送出し側端部に当接して、養殖貝類を貝座部の適正位置にセットできなくなる。
【００２１】
したがって、これに対して本発明の請求項３による係止具のガイド構造のように、ガイドブッシュの係止具送出し側端部にカット部が設けられていると、養殖貝類がガイドブッシュの係止具送出し側端部に当接するのを防止することが可能となる。
【００２２】
また本発明の請求項５による係止具のガイド構造のように、ガイドブッシュを貝座部に固定するガイドブロックが備えられている場合でもこのガイトブロックにカット部が設けられていると、養殖貝類がこのガイドブロックに当接するのを防止することが可能となる。
【００２３】
【発明の実施の形態】
つぎに本発明の実施形態を図面にしたがって説明する。
【００２４】
図１に示すように、当該実施形態に係るガイド構造を備えた養殖貝類の耳吊り装置は先ず、所要数のキャスタ３２を備えた台座部３１の上に、取付作業をこの上で行なう貝座部（作業座とも称する）４１を備えており、この貝座部４１の左右にそれぞれ、多数の養殖貝類の稚貝（単に稚貝とも称する）１１を載せるテーブル状の貝積載部（貝ストッカーとも称する）３３が設けられ、貝座部４１の向う側および手前側に、作業時にロープ１の取付作業箇所に張りをもたせる一対のロープテンション部５１（ロープ固定部とも称する、貝座部４１の手前側のもののみ図示）が設けられ、貝座部４１およびロープテンション部５１に、稚貝１１を水平方向に位置決めする貝位置決め部６１，６４（図２参照）が設けられ、貝座部４１の上方に、作業時に稚貝１１を押さえて稚貝１１の位置ずれを防止するパッドまたはブラシ等の押え部材７２（図８参照）を備えた貝押え部７１と、ロープ１および稚貝１１に貫通孔１Ａ，１１Ａ（図９参照）を形成するドリル部８１とが設けられ、貝座部４１の下方、すなわち台座部３１の内部に、各部を作動させる駆動ユニット３４と、貫通孔１Ａ，１１Ａに係止具２１（図４参照）を刺し通す係止具供給部９１とが設けられ、貝座部４１の向う側に、作業のサイクル毎にロープ１を間欠的に移送するロープ送り部１３１と、各部の作動を制御する電気制御ボックス３５とが設けられている。作業者は、当該耳吊り装置の手前側に図示しない椅子を持って来て座り、作業のサイクル毎に手作業で左右の貝積載部３３から稚貝１１を一つずつ貝座部４１の上に載せ、位置決めし、図示しない始動用フットスイッチを足踏み操作する。
【００２５】
図２に示すように、貝座部４１はその左右方向の略中央に、ロープ１の取付作業箇所を略水平に案内する溝状のロープ案内部４２を備えており、このロープ案内部４２の右側（図上手前側）に、一の稚貝（以下、右側の稚貝または下側の稚貝とも称する）１１を載せる第一貝支持面部４３が設けられ、ロープ案内部４２の左側（図上向う側）に、今一つの他の稚貝（以下、左側の稚貝または上側の稚貝とも称する）１１を載せる第二貝支持面部４６が設けられている。また第一貝支持面部４３に溝状の凹部４４が設けられ、この凹部４４内に、取付けを完了した右側の稚貝１１を貝座部４１から上方へ押し上げる貝押上げレバー４５が、貝座部４１の内部に設けられた軸（図示せず）を中心に上下方向に揺動自在にかつバネ（図示せず）で付勢されて、取り付けられている。
【００２６】
ロープ案内部４２は基本的に断面半円形の溝であって、ロープ１を緩く嵌め込んでこれを支持するとともにこれを位置決めし、またロープ１を長さ方向に移送するときにこれを案内する役割を持っている。
【００２７】
第一貝支持面部４３は基本的に平面であって、ここに右側の稚貝１１を載せたときに、この稚貝１１の耳部１１ｂ（図３または図８参照）が、ロープ案内部４２に案内された状態のロープ１の下側に位置する高さを備えている。また第二貝支持面部４６も基本的に平面であって、第一貝支持面部４３より一段高く、ここに左側の稚貝１１を載せたときに、この稚貝１１の耳部１１ｂ（図３または図８参照）が、ロープ案内部４２に案内された状態のロープ１の上側に位置する高さを備えている。
【００２８】
また図２に示すように、貝座部４１の上面に、右側の稚貝１１を水平方向に位置決めする第一貝位置決め部６１が設けられ、貝座部４１およびこの貝座部４１の向う側に設けられたロープテンション部（図示せず）に、左側の稚貝１１を水平方向に位置決めする第二貝位置決め部６４が設けられている。
【００２９】
第一貝位置決め部６１は、貝座部４１上に設けられた段差状の耳部後当て壁６２と、これに平面略く字形に連続する耳部横当て壁６３とからなるもので、右側の稚貝１１の耳部１１ｂの後辺１１ｃ（図３参照）を耳部後当て壁６２に当接させるとともにこの稚貝１１の耳部１１ｂの一方の側辺１１ｄ（図１２参照）を耳部横当て壁６３に当接させることによりこの稚貝１１を水平方向に位置決めし、すなわちこの稚貝１１の耳部１１ｂの一部をロープ１の真下に位置させることができるようになっている。この右側の稚貝１１の耳部１１ｂの下には、ドリル穿孔用および係止具供給用の工作孔４７が位置し、ここに後記するようにガイドブッシュ１１１およびガイドブロック１２１が配置されている。
【００３０】
第二貝位置決め部６４は、貝座部４１上に設けられた段差状の耳部後当て壁６５と、貝座部４１の向う側に設けられたロープ固定部に取り付けられた平面略く字形の耳部横当て壁６６とからなるもので、左側の稚貝１１の耳部１１ｂの後辺１１ｃ（図３参照）を耳部後当て壁６５に当接させるとともにこの稚貝１１の耳部の１１ｂ一方の側辺１１ｅ（図３参照）を耳部横当て壁６６に当接させることによりこの稚貝１１を水平方向に位置決めし、すなわちこの稚貝１１の耳部１１ｂの一部をロープ１の真上に位置させることができるようになっており、これらによりロープ１および左右の稚貝１１が、平面的に見て図３の状態、正面から見て図８の状態となるように上下に重ねられ、下から順に右側の稚貝１１の耳部１１ｂ、ロープ１の取付作業箇所および左側の稚貝１１の耳部１１ｂが積層状に並べられる。尚、図２は、貝座部４１の向う側に設けられたロープ固定部に取り付けられた平面略く字形の耳部横当て壁６６を貝座部４１に対して図上右側にずらした状態（この意味で分解状態）を示している。
【００３１】
図１に示したように、ドリル部８１は、貝座部４１の上方で昇降動作する支持部材８２と、この支持部材８２に支持されたドリル本体８３と、このドリル本体８３に備えられた刃８４（単にドリルとも称する）とを有している。支持部材８２およびこれに支持されたドリル本体８３は、駆動ユニット３４から駆動力を受けて昇降動作し、この昇降動作中、リニアガイド（図示せず）に案内されつつリニアレール（図示せず）に沿って上下動する。ドリル本体８３の下端に備えられたドリル８４は真下を向いており、上記した工作孔４７の真上に位置している。
【００３２】
図４に示すように、係止具２１は合成樹脂製のピン状のものであって、略棒状を呈する係止具本体２１ａの両端にそれぞれ貝係止部２１ｂ，２１ｃを一体に備えており、図上右側の一方の貝係止部２１ｂが、貫通孔１Ａ，１１Ａに刺し通されることを予定して銛状に成形され、図上左側の他方の貝係止部２１ｃは、抜止め部として係止具本体２１ａより大径の円柱形に成形されている。一方の貝係止部２１ｂの銛は段無し（二又の銛が互いに係止具本体２１ａの長手方向に変位せずに設けられていること）の二又であるが、段有り（段違い、二又の銛が互いに係止具本体２１ａの長手方向に変位して設けられていること）の二又、または一又であっても良い。また図５に示すように、一枚開け用に、係止具本体２１ａの一部に他の部分より外径の小さな小径部２１ｄを設けたものもある（一枚開けでは貝が係止具２１を曲げて成長してくるために小径部２１ｄを設けて係止具２１を曲がり易くする）。
【００３３】
また図６に示すように、係止具２１はシート状のカートリッジ２２として多数が纏めて係止具供給部９１に装填されるもので、カートリッジ２２は多数の係止具２１を平面的にかつ互いに平行に並べ、更に多数の係止具２１を各係止具２１の両端部または一端部（図６において下側のみ、この場合、上側はそれぞれの貝係止部２１ｂをもって一体に連結される）に一体に繋ったランナ２３をもって一連に接続したものとして成形されている。
【００３４】
図１および図７に示すように、係止具供給部９１は、カートリッジ２２を多数ストックする略箱状のカートリッジストック部９２を備えており、このカートリッジストック部９２の一角と並ぶようにして、係止具切離し部９６および係止具移送部９８が設けられ、係止具移送部９８の供給ロータ９９が略１６０度回転した位置に係止具突上げ部１０１が設けられている。係止具突上げ部１０１は上記した工作孔４７の真下に位置しており、ここで係止具２１を一本ずつ突き上げて貫通孔１Ａ，１１Ａに係止具２１を刺し通すことになる。
【００３５】
カートリッジストック部９２に収容されたカートリッジ２２はシート毎、矢印ｘ方向へ直線的に送られ、その途中で、係止具切離し部９６に設けられた円形カッタ９７により係止具２１が個々にランナ２３から切り離される。切り離された係止具２１は個々に供給ロータ９９の送りピッチ凹部１００に嵌め込まれ、供給ロータ９９の回転にしたがって係止具突上げ部１０１に送られる。供給ロータ９９は作業のサイクル毎に間欠回転する。ランナ２３はｘ方向に直進を続け、外部へ放出される。係止具突上げ部１０１には、係止具２１を突き上げる押圧部材である突上げピン１０２が備えられ、更に突上げに際して係止具２１を案内するガイドブッシュ１１１が備えられている。
【００３６】
またカートリッジストック部９２には、作業の開始に先立ってシート状のカートリッジ２２が多数横並びの積層状にストックされ、作業の進行に合わせて一枚ずつ順番に繰り込まれて行く。このためカートリッジストック部９２には、ワイヤで吊された重りの重量で移動してカートリッジ２２を積層方向に順送りするスライダが設けられている。
【００３７】
図８に示すように、ガイドブッシュ１１１は工作孔４７に装着されて係止具２１を上方へ向けて案内するものであって筒状であり、このガイドブッシュ１１１の係止具送出し側端部（上端部）の周面の円周上一部に、このガイドブッシュ１１１内に係止具２１が詰まったときにこの係止具２１を排出する切欠状ないし溝状の排出口１１２が右手に向けて設けられ、また右側の稚貝１１を貝座部４１の適正位置にセットするときにこのガイドブッシュ１１１が邪魔になることがないように、ガイドブッシュ１１１の上端部にテーパ状ないし傾斜面状のカット部１１３が右手に向けて設けられている。
【００３８】
またこのガイドブッシュ１１１は、ガイドブロック１２１を貝座部４１にねじ止め（ねじを符号１２４で示している）することによって貝座部４１に固定されるものであり、このガイドブロック１２１の上面に、ガイドブッシュ１１１に設けた排出口１１２に連通する切欠状ないし溝状の排出路１２２が右手に向けて設けられ、また右側の稚貝１１を貝座部４１の適正位置にセットするときにこのガイドブロック１２１が邪魔になることがないように、ガイトブロック１２１の上面にテーパ状ないし傾斜面状のカット部１２３が右手に向けて設けられている。ガイドブッシュ１１１とガイドブロック１２１とは一体物であっても良い。
【００３９】
上記構成の耳吊り装置を作動させて耳吊り作業を行なうに際しては、先ずロープ１および係止具２１のカートリッジ２２をそれぞれ当該装置に装填し、貝座部４１のロープ案内部４２に支持されたロープ１の取付作業箇所にロープテンション部５１により適度の張りをもたせ、次いで手作業で貝座部４１の第一および第二貝支持面部４３，４６にそれぞれ稚貝１１を一つずつ載せ、更にこの稚貝１１をそれぞれ第一または第二貝位置決め部６１，６４にしたがって水平方向に位置決めし、これにより先ず右側の稚貝１１の耳部１１ｂ、ロープ１の取付作業箇所および左側の稚貝１１の耳部１１ｂを上下に積層状に並べる（図８）。
【００４０】
次いでこの状態から始動用フットスイッチを足踏み操作すると、駆動ユニット３４が作動して、先ずドリル本体８３が支持部材８２とともに下降し、これに伴って貝押え部７１の押え部材７２が先行して下降して左右の稚貝１１をそれぞれ押さえ付け、次いで右側の稚貝１１の耳部１１ｂ、ロープ１の取付作業箇所および左側の稚貝１１の耳部１１ｂよりなる積層部にその上方からドリル８４により貫通孔１Ａ，１１Ａが形成される（図９）。
【００４１】
次いで引き続き突上げピン１０２が上昇して係止具２１が突き上げられ、係止具２１の先端（上端）がドリル８４の先端（下端）に当接または食い込んだ時点で（図１０）、突上げピン１０２および係止具２１とともにドリル８４が上昇を開始し、係止具２１が貫通孔１Ａ，１１Ａに刺し通される（図１１）。
【００４２】
次いで更にドリル８４が上昇を続けるのに伴って押え部材７２が稚貝１１から離れ、次いでロープテンション部５１によりロープ１にかけられていた張りが解除される（但し、手前側のロープテンション部５１ではロープ１を軽く押えたままの状態）。ロープ１の張りが解除されると、貝押上げレバー４５がバネにより上方へ復帰動して、真ん中にロープ１を挾んだ左右の稚貝１１が同時に持ち上げられ、次いでロープ送り部１３１によりロープ１が一サイクル分、貝座部４１の向う側に手繰られる。したがって以上の作動により１サイクル分の取付け作業が完了して、図１２に示す耳吊り状態が実現し、爾後、所要回数、この作業を繰り返す。
【００４３】
上記耳吊り装置は、上記構成により以下の作用効果を奏する点に特徴を有している。
【００４４】
すなわち先ず第一に、右側の稚貝１１の耳部１１ｂ、ロープ１の取付作業箇所および左側の稚貝１１の耳部１１ｂよりなる積層部にその上方からドリル８４を下降させて来て貫通孔１Ａ，１１Ａを形成し、同じところにその下方から係止具２１を突上げピン１０２で突き上げて耳吊り状態を一挙に実現するものであるために、取付け作業が簡単で、しかも作業効率が良い。
【００４５】
また仮に、作業時に稚貝１１のセット位置が穿孔後にずれる等して、図１３に示すように係止具２１の移動方向延長線上から右側の稚貝１１の耳部１１ｂに形成された貫通孔１１Ａがずれるようなことがあっても、ガイドブッシュ１１１の上端部の周面に排出口１１２が設けられ、またガイドブロック１２１にこの排出口１１２に連通する排出路１２２が設けられているために、図１４に示すように突上げピン１０２により突き上げられている係止具２１が排出口１１２を介して排出路１２２から外へと自動的に押し出されてくる。したがって係止具２１の詰まりを自動的に解消し、よって爾後の作業をそのまま続けることができる。
【００４６】
尚、ガイドブッシュ１１１の上端部の周面に設けられるこの排出口１１２の形状については様々なものが考えられ、要はこの排出口１１２により、ガイドブッシュ１１１内に詰まった係止具２１の新たな逃げ場が形成されて、係止具２１が突上げピン１０２に押されて外に出て来る形状であれば良い。形状の例としては、図１５に示す切欠状ないし溝状の排出口１１２の他に、図１６に示すようにガイドブッシュ１１１の上端部に段（半円段部）を付けたり、図１７に示すようにテーパを付けたりすることにより排出口１１２を形成しても良い。またこのことは、ガイドブロック１２１の上面に設けられる排出路１２２についても同様であるが、ガイドブロック１２１がもともとガイドブッシュ１１１の排出口１１２から係止具２１が排出されるのを阻害しない形状ないし構造であれば、わざわざガイドブロック１２１に排出路１２２を設けるに及ばない。
【００４７】
第二に、右側の稚貝１１を貝座部４１の適正位置にセットするときにガイドブッシュ１１１が邪魔になることがないように、ガイドブッシュ１１１の上端部にカット部１１３が設けられているために、右側の稚貝１１の本体部１１ａがガイドブッシュ１１１に当接せず、よってこの稚貝１１を貝座部４１の適正位置にセットすることが可能である。また同様に右側の稚貝１１を貝座部４１の適正位置にセットするときにガイドブロック１２１が邪魔にならないように、ガイドブロック１２１の上面にカット部１２３が設けられているために、右側の稚貝１１の本体部１１ａがガイトブロック１２１に当接せず、よってこの稚貝４１を貝座部４１の適正位置にセットすることが可能である。したがってこの右側の稚貝１１を第一貝位置決め部６１にしたがって位置決めすれば直ちに適切な積層状態を作り出すことができ、これにより後は貫通孔１Ａ，１１Ａを形成して係止具２１を刺し通すだけで、正確かつ迅速に耳吊り状態を実現することができる。
【００４８】
尚、ガイドブッシュ１１１の上端部に設けられるこのカット部１１３の形状についても様々なものが考えられ、要はこのカット部１１３により、ガイドブッシュ１１１が基本的な円筒形から一部が凹んで、稚貝１１の適正位置へのセットを阻害しない形状であれば良い。形状の例としては、図１７に示すテーパ状ないし傾斜面状の他、図１６に示すようにガイドブッシュ１１１の上端部に段（半円段部）を付けることによりカット部１１３を形成しても良い。またこのことは、ガイドブロック１２１の上面に設けられるカット部１２３についても同様である。また図１７の例では、ガイドブッシュ１１１の上端部にテーパ状ないし傾斜面状のカット部１１３を形成するのと同時にガイドブッシュ１１１の上端部に排出口１１２が形成されることになり、また図１６の例では、ガイドブッシュ１１１の上端部に段付き状のカット部１１３を形成するのと同時にガイドブッシュ１１１の上端部に排出口１１２が形成されることになる。
【００４９】
また更に図１５ないし図１７のガイドブッシュ１１１にはそれぞれ、右側の稚貝１１の耳部１１ｂ、ロープ１の取付作業箇所および左側の稚貝１１の耳部１１ｂよりなる積層部に対して貫通孔１Ａ，１１Ａを形成するドリル８４の先端がこのガイドブッシュ１１１に接触することがないように、ガイドブッシュ１１１の上端開口部に、他の部分より内径の大きな大径部１１４が設けられており、このような大径部１１４が設けられていることにより、ドリル８４の先端が積層部を下側に突き抜けた瞬間においても、ドリル８４の先端がガイトブッシュ１１１に接触しないようになっている。したがって高速回転するドリル８４の先端がガイドブッシュ１１１の上端部開口周縁に接触してガイドブッシュ１１１およびドリル８４の双方または少なくとも一方が損耗するのを防止することができ、これらの部品の耐久性を向上させることができる。大径部１１４の内周面は円筒形であるが、上方へ向けて漸次拡径するラッパ状であっても良い。
【００５０】
図１８に示す例においては、ガイドブッシュ１１１がブッシュホルダ（ガイドホルダとも称する）１１５と、このブッシュホルダ１１１に支持された狭義のガイドブッシュ（ガイドまたはガイド部材とも称する）１１６との二部品よりなっており、後者のガイドブッシュ１１６がその一部においてブッシュホルダ１１５の内周面に設けられた段差状の取付部１１５ａに差し込まれてブッシュホルダ１１５に対して固定されている。ブッシュホルダ１１１とガイドブッシュ１１６とは基本的に同じ内径を備えている。ブッシュホルダ１１５、ガイドブッシュ１１６およびガイドブロック１２１は一体物であっても良い。
【００５１】
ガイドブッシュ１１６は、図１９ないし図２４に示す形状であって円筒形のステンレス製品であり、その上端部に切欠状ないし溝状の排出口１１２と、テーパ状ないし傾斜面状のカット部１１３と、大径部１１４とが設けられている。排出口１１２の平面配置は図１９に示したように４時３０分位置（１３５度位置）であり、カット部１１３の傾斜角度は垂直に対して３０度である。
【００５２】
ガイドホルダ１１５は、図２５に示す形状であって円筒形のステンレス製品であり、その上端部内周に上記した取付部１１５ａが設けられ、その下端部にラッパ状に開いた係止具取込み口１１５ｂが設けられている。
【００５３】
また図１８におけるガイドブロック１２１は、図２６に示す形状のステンレス製品であり、工作孔４７と、切欠状ないし溝状の排出路１２２と、テーパ状ないし傾斜面状のカット部１２３と、このガイドブロック１２１を貝座部４１に取り付けるためのねじ孔１２５と、排出路１２２を外部に開口させるとともに右側の稚貝１１を貝座部４１の適正位置にセットするときにこのガイドブロック１２１が邪魔になることがないようにするためのテーパ状ないし傾斜面状のカット面部１２６とが設けられている。排出路１２２の平面配置は排出口１１２と同様に４時３０分位置（１３５度位置）であり、カット部１２３の傾斜角度は水平に対して４５度である。
【００５４】
この図１８に示した例は、帆立貝を「二枚開け」する場合に用いられるのに適した構造であり、これに対して帆立貝を「一枚開け」する場合には図２８に示す構造を用いるのが好適である。尚、「二枚開け」および「一枚開け」は以下のようなものである。すなわち図２７に示すように、帆立貝の稚貝１１の耳部１１ｂはその大部分において二枚の貝殻が重なり合った状態になっているが、耳部１１ｂの片側には一枚の貝殻のみからなる部分１１ｆが必ず存在しており、前者の二枚の貝殻が重なり合った部分（二枚部分とも称する）に貫通孔１１Ａを形成することを「二枚開け」、後者の一枚の貝殻のみからなる部分（一枚部分とも称する）１１ｆに貫通孔１１Ａを形成することを「一枚開け」と言い、後者の「一枚開け」の方が稚貝１１の成育が良いことが知られている。但し、この「一枚開け」を行なう場合には、貝座部４１上における稚貝１１の適正なセット位置が「二枚開け」の場合と異なるために貝位置決め部６１，６４を別規格の部品と交換する必要があり、ガイドブッシュ１１１およびガイドブロック１２１についても、これらの部品と稚貝１１の本体部１１ａとの間隔が「二枚開け」の場合とは異なるために別規格の部品と交換する必要がある。したがって可能な範囲で部品の共通化を実現してブッシュホルダ１１５を共用し、狭義のガイドブッシュ１１６およびガイドブロック１２１の規格を変更したのが「一枚開け」用の図２８の例である。
【００５５】
すなわちこの図２８に示す例においては、ガイドブッシュ１１６が、図２９ないし図３４に示す形状であって円筒形のステンレス製品であり、その上端部に切欠状ないし溝状の排出口１１２と、テーパ状ないし傾斜面状のカット部１１３ａおよび段付き状のカット部１１３ｂの組合せからなるカット部１１３と、大径部１１４とが設けられている。排出口１１２の平面配置は図２９に示したように４時３０分位置（１３５度位置）であり、テーパ状ないし傾斜面状のカット部１１３ａの傾斜角度は水平に対して３５度である。
【００５６】
また図２８におけるガイドブロック１２１は、図３５に示す形状のステンレス製品であり、工作孔４７と、切欠状ないし溝状の排出路１２２と、テーパ状ないし傾斜面状のカット部１２３ａおよび段付き状のカット部１２３ｂの組合せからなるカット部１２３と、このガイドブロック１２１を貝座部４１に取り付けるためのねじ孔１２５と、排出路１２２を外部に開口させるとともに右側の稚貝１１を貝座部４１の適正位置にセットするときにこのガイドブロック１２１が邪魔になることがないようにするためのテーパ状ないし傾斜面状のカット面部１２６とが設けられている。排出路１２２の平面配置は排出口１１２と同様に４時３０分位置（１３５度位置）であり、カット部１２３の傾斜角度は水平に対して３５度である。
【００５７】
【発明の効果】
本発明は、以下の効果を奏する。
【００５８】
すなわち先ず、上記構成を備えた本発明の請求項１による係止具のガイド構造においては、ロープおよび養殖貝類の耳部に形成する貫通孔に刺し通される係止具を貫通孔へ向けて案内するガイドブッシュが備えられ、このガイドブッシュの係止具送出し側端部の周面に、ガイドブッシュ内に係止具が詰まったときにこの係止具を排出する排出口が設けられているために、装置内に係止具が詰まってしまった場合にこの係止具を自動的に排出することができる。したがって係止具を排出するために作業を中止して装置を分解する必要がなく、引き続き作業を行なうことができ、作業効率を向上させることができる。
【００５９】
またこれに加えて、上記構成を備えた本発明の請求項２による係止具のガイド構造においては、ロープおよび養殖貝類の耳部に貫通孔を形成するドリルの先端がガイドブッシュに接触することがないように、ガイドブッシュの係止具送出し側端部に、他の部分より内径の大きな大径部が設けられているために、ドリルの先端がロープおよび養殖貝類の耳部を重ねた積層部を突き抜けた瞬間においてもドリルの先端がガイトブッシュに接触するのを防止することができる。したがって高速回転するドリルの先端がガイドブッシュに接触してガイドブッシュおよびドリルの双方または少なくとも一方が損耗するのを防止することができ、これらの部品の耐久性を向上させることができる。
【００６０】
また上記構成を備えた本発明の請求項３による係止具のガイド構造においては、養殖貝類を貝座部の適正位置にセットするときにガイドブッシュが邪魔になることがないように、ガイドブッシュの係止具送出し側端部にカット部が設けられているために、養殖貝類がガイドブッシュに当接せず、よってこの養殖貝類を貝座部の適正位置にセットすることができる。したがって積層部に貫通孔を形成して係止具を刺し通すだけで正確かつ迅速に耳吊り状態を実現することができる。
【００６１】
また上記構成を備えた本発明の請求項４による係止具のガイド構造においては、ガイドブロックに、ガイドブッシュに設けた排出口に連通する排出路が設けられているために、ガイドブロックが備えられている場合でも請求項１に係る発明と同様に、装置内に係止具が詰まってしまった場合にこの係止具を自動的に排出することができる。
【００６２】
また更に上記構成を備えた本発明の請求項５による養殖貝類の係止具のガイド構造においては、養殖貝類を貝座部の適正位置にセットするときにガイドブロックが邪魔になることがないように、ガイトブロックにカット部が設けられているために、ガイドブロックが備えられている場合でも養殖貝類がガイドブロックに当接せず、よって請求項３に係る発明と同様に、養殖貝類を貝座部の適正位置にセットすることができる。
【図面の簡単な説明】
【図１】本発明の実施形態に係るガイド構造を備えた養殖貝類の耳吊り装置の斜視図
【図２】貝座部の斜視図
【図３】ロープと養殖貝類の稚貝との位置関係を示す平面図
【図４】係止具の一例を示す正面図
【図５】係止具の他の例を示す正面図
【図６】係止具カートリッジの正面図
【図７】係止具供給部の説明図
【図８】ガイド構造ならびにドリルおよび係止具の作動関係を示す説明図
【図９】ガイド構造ならびにドリルおよび係止具の作動関係を示す説明図
【図１０】ガイド構造ならびにドリルおよび係止具の作動関係を示す説明図
【図１１】ガイド構造ならびにドリルおよび係止具の作動関係を示す説明図
【図１２】取付完了状態（耳吊り状態）を示す斜視図
【図１３】ガイド構造ならびにドリルおよび係止具の作動関係を示す説明図
【図１４】ガイド構造ならびにドリルおよび係止具の作動関係を示す説明図
【図１５】ガイドブッシュの一例を示す要部斜視図
【図１６】ガイドブッシュの他の例を示す要部斜視図
【図１７】ガイドブッシュの他の例を示す要部斜視図
【図１８】本発明の他の実施形態に係るガイド構造の断面図
【図１９】ガイドブッシュの平面図
【図２０】ガイドブッシュの正面図
【図２１】ガイドブッシュの底面図
【図２２】ガイドブッシュの背面図
【図２３】ガイドブッシュの左側面図
【図２４】ガイドブッシュの右側面図
【図２５】ブッシュホルダの断面図
【図２６】ガイドブロックの斜視図
【図２７】養殖貝類の稚貝（帆立貝）の平面図
【図２８】本発明の他の実施形態に係るガイド構造の断面図
【図２９】ガイドブッシュの平面図
【図３０】ガイドブッシュの正面図
【図３１】ガイドブッシュの底面図
【図３２】ガイドブッシュの背面図
【図３３】ガイドブッシュの左側面図
【図３４】ガイドブッシュの右側面図
【図３５】ガイドブロックの斜視図
【符号の説明】
１  ロープ
１Ａ，１１Ａ  貫通孔
１１  稚貝（養殖貝類）
１１ｂ  耳部
２１  係止具
３１  台座部
３３  貝載置部
３４  駆動ユニット
３５  電気制御ボックス
４１  貝座部
４７  工作孔
５１  ロープテンション部
６１，６４  貝位置決め部
７１  貝押え部
８１  ドリル部
８４  刃（ドリル）
９１  係止具供給部
１０１  係止具突上げ部
１０２  突上げピン（押圧部材）
１１１，１１６  ガイドブッシュ
１１２  排出口
１１３，１１３ａ，１１３ｂ，１２３，１２３ａ，１２３ｂ  カット部
１１４  大径部
１１５  ブッシュホルダ
１１５ａ  取付部
１１５ｂ  係止具取込み口
１２１  ガイドブロック
１２２  排出路
１２６  カット面部
１３１  ロープ送り部
【図１】
0003670790.tif 000002
【図２】
0003670790.tif 000003
【図３】
0003670790.tif 000004
【図４】
0003670790.tif 000005
【図５】
0003670790.tif 000006
【図６】
0003670790.tif 000007
【図７】
0003670790.tif 000008
【図８】
0003670790.tif 000009
【図９】
0003670790.tif 000010
【図１０】
0003670790.tif 000011
【図１１】
0003670790.tif 000012
【図１２】
0003670790.tif 000013
【図１３】
0003670790.tif 000014
【図１４】
0003670790.tif 000015
【図１５】
0003670790.tif 000016
【図１６】
0003670790.tif 000017
【図１７】
0003670790.tif 000018
【図１８】
0003670790.tif 000019
【図１９】
0003670790.tif 000020
【図２０】
0003670790.tif 000021
【図２１】
0003670790.tif 000022
【図２２】
0003670790.tif 000023
【図２３】
0003670790.tif 000024
【図２４】
0003670790.tif 000025
【図２５】
0003670790.tif 000026
【図２６】
0003670790.tif 000027
【図２７】
0003670790.tif 000028
【図２８】
0003670790.tif 000029
【図２９】
0003670790.tif 000030
【図３０】
0003670790.tif 000031
【図３１】
0003670790.tif 000032
【図３２】
0003670790.tif 000033
【図３３】
0003670790.tif 000034
【図３４】
0003670790.tif 000035
【図３５】
0003670790.tif 000036